(57)【特許請求の範囲】
【請求項１】
少なくとも甲、足裏、及び足首を覆う本体部を備えたレッグウエアであって、
周辺よりも緊締力が強いサポートラインを備え、
前記サポートラインは、
前記甲から内側を経由して前記足裏である土踏まずにかけて配置された第１の緊締部と、
足首腹側において外側から内側へ斜め上方に配置され、前記足首腹側を面状に圧迫する第２の緊締部と、を有し、前記甲から内側を経由して前記土踏まずを通り前記足首へ至る内巻のらせん状に配置され、
前記本体部は、少なくとも足首の上方まで覆うように形成され、
前記サポートラインは、
内踝上部を経て、アキレス腱の上部を斜め上方に巻き上げながら延在する第３の緊締部を有することを特徴とするレッグウエア。
【請求項２】
前記第３の緊締部は、前記アキレス腱と下腿三頭筋とを結ぶ筋腱移行部を覆うように配置され、下端側が前記第２の緊締部の上端側へ連続していることを特徴とする請求項１記載のレッグウエア。
【請求項３】
前記本体部は、少なくとも下腿部まで覆うように形成され、
前記サポートラインは、
下腿部外側から下腿部腹側へ斜め上方に配置され、膝蓋骨下端腹側まで至る第４の緊締部を有することを特徴とする請求項１または２に記載のレッグウエア。
【請求項４】
前記本体部は、少なくとも中足骨の体から膝蓋骨下端まで覆うように形成され、
前記サポートラインは、
第３又は第４中足骨の体の足底から始まり膝蓋骨下端腹側まで連続して形成され、
前記本体部の圧値は、次式（１）を満たす
足囲部：下腿最小囲部：下腿最大囲部＝２．２：１．６：１．０…（１）
ことを特徴とする請求項１〜３の何れか一項に記載のレッグウエア。
【発明の詳細な説明】
【技術分野】
【０００１】
本発明は、筒状の本体部に、周辺よりも緊締力が強いサポートラインを備えるレッグウエアに関するものである。
【背景技術】
【０００２】
近年、下腿部のむくみを自覚する人々が増加している。そのため、整容効果を期待して、むくみを解消することが求められている。下腿部は呼吸運動による影響を受けにくい体部位であり、多少の圧迫力を負荷しても差し支えない体部位である。そこで、下腿部のむくみを抑えるために、着用者の下腿部を締め付けることで発生する周囲から深部方向へ働く周力（周応力、フープテンション）によって圧迫する着圧ソックスが開発されている。これにより、下腿部のむくみ量の低減を図っている。
【０００３】
特許文献１には、スパイラル形状のサポートラインが形成されたレッグウエアが開示されている。このレッグウエアのサポートラインは、外踝から後足首を経由して膝関節後面の下端に至る外旋回のスパイラル形状を成している。このようなサポートラインを形成することで、下腿部の骨格に作用して骨の可動性を向上させ、脚のむくみ、だるさ、疲れなどの予防しようとしている。
【０００４】
特許文献２には、斜め上向きに形成された複数の着圧部が上下方向に離間して配置された靴下が開示されている。この靴下では、リンパの流れる方向に沿って着圧部を形成し、着圧部による下肢肌面への押圧作用によって、リンパの流れる方向に沿った刺激効果及びマッサージ効果を得ようとしている。
【０００５】
特許文献３には、円筒状に形成されたサポータにおいて、弾性生地部と中間生地部（非弾性生地部）とを足の周方向に交互に配置し、一方の開口側を他方の開口側に対して捻転させて脹脛に装着するものが開示されている。特許文献４には、上下方向に段階的に着圧力を変化させることにより血流を促進させる靴下が開示されている。
【先行技術文献】
【特許文献】
【０００６】
【特許文献１】特開２００８−２６６８０２号公報
【特許文献２】特開２００６−２１９８０５号公報
【特許文献３】実用新案登録第３０９１５７２号公報
【特許文献４】特開平１０−３１０９０３号公報
【発明の概要】
【発明が解決しようとする課題】
【０００７】
特許文献１に記載のレッグウエアでは、脛骨の下端から脛骨全長の１／４〜１／２の位置で向う脛（脛の前面）を斜めに横切るように配置されている。向う脛のこの位置には、大伏在静脈１３１、伏在神経１３２が表在している。向う脛でこれらを横切るようにサポートラインが形成されていると、静脈血の戻りを阻害し血液循環が妨げられ、むくみを解消できないという問題が生じることになる。
【０００８】
そして、外旋回のスパイラルを成すようにサポートラインを形成すると、大伏在静脈１３１、伏在神経１３２を横切る部位を避けて効果的にサポートラインを配置することが難しく、むくみを効果的に解消することができなくなる。
【０００９】
また、着用者が“きつい”と感じるような過度の周力によって下腿部が圧迫される場合には、血液循環を抑制し、足先の冷えを生じさせるおそれがある。さらに周力が大きい場合には、着用時の痛みを引き起こしたり、着用後の当該部位の皮下組織が変形するおそれがある。
【００１０】
例えば、特許文献１に記載の従来技術では、脚サポートライン部の最も高い圧力を付加部分（Ｐ点）における圧力値は、１．１ｋＰａ〜５．０ｋＰａとすることが好ましいと記述されている。しかし、このような高い圧力値では、体部位への圧迫が強くなり過ぎると考えることができる。
【００１１】
さらに、特許文献２，３に記載の従来技術では、つま先から踝にかけての部位（足部）、足裏などが考慮されていないため、むくみやすい足底静脈を圧迫できないという問題があった。また、足部からふくらはぎにかけての圧バランスが不適切となり、着圧ソックス（レッグウエア）として好適な締め付けを作用させることができず、着用者の身体への負荷を軽減して健康的にむくみを改善することができないという問題があった。
【００１２】
特許文献４に記載の従来技術では、下腿部を全方向から締め付けるコース単位のフープテンションにより、下腿部を締め付けているため、着用者に余分な締め付け感を与えてしまい、不快感を生じさせるおそれがあった。
【００１３】
本発明は、このような課題を解決するために成されたものであり、着用者が“きつ過ぎる”と感じる不快感を無くし、圧感覚（きつさ感覚）の適正化を図りつつ血液循環を促進してむくみを解消すると共に、血液循環の阻害要因を抑えて保温効果を保つことが可能なレッグウエアを提供することを目的とする。
【課題を解決するための手段】
【００１４】
本発明者らは、上記目的を達成すべく鋭意研究を重ねた結果、大伏在静脈、伏在神経、外側腓腹皮神経が表在している部分を避けるように、サポートラインを配置することで、血液循環を妨げることなく、効果的にむくみを解消すること、下腿部の中で最も形状変化が大きく容積変化速度が大きい足首腹側にサポートラインを斜め方向に這わせて当該部位を圧迫することで、大きな補正効果を生むことが可能であることを見出した。なお、腹側とは、着用者の正面側（顔がある側）である。
【００１５】
本発明によるレッグウエアは、少なくとも甲、足裏、及び足首を覆う本体部を備えたレッグウエアであって、周辺よりも緊締力が強いサポートラインを備え、サポートラインは、甲から内側を経由して足裏である土踏まずにかけて配置された第１の緊締部と、足首腹側において外側から内側へ斜め上方に配置され、足首腹側を面状に圧迫する第２の緊締部と、を有し、甲から内側を経由して土踏まずを通り足首へ至る内巻のらせん状に配置されていることを特徴としている。
【００１６】
このようなレッグウエアによれば、周辺よりも緊締力が強いサポートラインが内巻きのらせん状に形成されているため、大伏在静脈、伏在神経、及び外側腓腹皮神経が表在している部分を避けるように、ラインが設定され易くなる。また、らせん状のサポートラインが形成されているので、フープテンションを緩和し適度な締め付けを作用させることができ、着用者が感じる“きつさ”を和らげることが可能となる。これにより、身体への不要な負荷を防止することができる。また、サポートラインが、大伏在静脈、伏在神経、及び外側腓腹皮神経が表在している部分をさけるように設定されているため、静脈血やリンパの戻りを阻害しない、好適なサポートラインが実現される。
【００１７】
また、サポートラインは、甲から内側を経由し足裏まで延在する第１の緊締部を備えている。甲は、他の体部位と比較して強く締め付けた場合であっても、着用者に“きつさ”を感じさせにくい部位である。そのため、甲を通り他の体部位に連続するサポートラインを形成することで、甲を挟んで離間する他の体部位同士を連動させて効果的に緊締力を作用させることができる。また、むくみやすい体部位である足裏（土踏まず）に、サポートラインが配置されるため、足底静脈を圧迫して血液循環を向上させることができる。例えば、第１の緊締部の足裏に対応する部分にタック編みを採用し、周囲と比較して緊締力を強くすることが好適である。ここでいう甲とは、楔状骨に対応する部位である。
【００１８】
また、サポートラインは、足首腹側において外側から内側へ斜め上方に配置され、足首腹側を面状に圧迫する第２の緊締部を備えている。これにより、第２の緊締部を、体の上下方向に対して斜めに配置することでフープテンションによる圧迫を防止し、軟性組織で負荷を受けやすい足首腹側を面で圧迫することができる。特に、足首腹側に生じやすいシワの発生を予防して足首腹側を面で圧迫することで、生地が重なり合うことにより発生する局所的な圧迫が防止されるため、皮膚組織だけでなく皮膚より深部にある筋細胞の損傷を軽減することができ、足首腹側に表在する、大伏在静脈及び伏在神経への局所的な圧迫を防止することができる。第２の緊締部が足首腹側を通るように形成されているため、大伏在静脈、伏在神経、及び外側腓腹皮神経を横切るサポートラインの部分を最小限に抑えることができ、好適なサポートラインを設定することができる。
【００１９】
また、本体部は、少なくとも足首の上方まで覆うように形成され、サポートラインは、内踝上部を経て、アキレス腱の上部を斜め上方に巻き上げながら延在する第３の緊締部を有することが好適である。
第３の緊締部は、アキレス腱と下腿三頭筋とを結ぶ筋腱移行部を覆うように配置され、下端側が前記第２の緊締部の上端側へ連続していることが好適である。これにより、第３の緊締部によって腓腹筋が持ち上げられるため、血流及びリンパの戻りを向上させることができ、効果的にむくみを解消することができる。
【００２０】
また、本体部は、少なくとも下腿部まで覆うように形成され、サポートラインは、下腿部外側から下腿部腹側へ斜め上方に配置され、膝蓋骨下端腹側まで至る第４の緊締部を有することが好ましい。これにより、脛骨よりも体中心の内側の領域に表在する大伏在静脈、伏在神経、及び外側腓腹皮神経が表在する領域を避けるように、サポートラインを形成することができるため、静脈血やリンパの戻りを阻害しないようにすると共に、下腿部外側から下腿部腹側を圧迫して血液循環を促進することができる。
【００２１】
また、本体部は、少なくとも中足骨の体から膝蓋骨下端まで覆うように形成され、サポートラインは、第３又は第４中足骨の体の足底から始まり膝蓋骨下端腹側まで連続して形成され、本体部の圧値は、次式（１）を満たす、足囲部：下腿最小囲部：下腿最大囲部＝２．２：１．６：１．０…（１）ことが好適である。これにより、足部（フット部）と下腿部の両方の体部位に対して連続してサポートラインを形成し、足部、足首、下腿部について好適な圧バランスを実現することができる。なお、足部とは、つま先からくるぶしにかけての部分であり、下腿部とは、くるぶしから膝下までの部分である。また、足囲部とは土踏まずと楔状骨を通る部位、下腿最小囲部とは下腿部のうち周囲長が最小の部位（足首に相当する）、下腿最大囲部とは下腿部のうち周囲長が最大の部位（脹脛に相当する）である。
【発明の効果】
【００２２】
本発明のレッグウエアによれば、内巻きのらせん状のサポートラインが形成され、足首腹側を面状に圧迫すると共に、足の甲から内側を経由して足裏にかけて配置されているため、圧感覚の適正化を図りつつ血液循環を促進してむくみを解消すると共に、血液循環の阻害要因を抑えて保温効果を保つことが可能となる。その結果、着用者が“きつ過ぎる”と感じる不快感を防止すると共に、足部の皮膚温の低下を防止することができる。
【図面の簡単な説明】
【００２３】
【図１】本発明の実施形態に係る着圧ソックス（右足用）を示す図である。
【図２】本発明の実施形態に係る着圧ソックス（右足用）を示す他の図である。
【図３】下腿部（右足）を腹側（正面側）から見た図であり、大伏在静脈の位置を示す図である。
【図４】下腿部（右足）を腹側（正面側）から見た図であり、伏在神経の位置を示す図である。
【図５】下腿部（右足）を背側から見た図であり、外側腓腹皮神経の位置を示す図である。
【図６】下腿部（左足）を背側から見た図であり、小伏在静脈の位置を示す図である。
【図７】右足を足底から見た図であり、中足骨を示す図である。
【図８】下腿部（左足）を背側から見た図であり、アキレス腱と下腿三頭筋とを結ぶ筋腱移行部の位置を示す図である。
【図９】タック編み組織を示す図である。
【図１０】引張試験における測定部位を示す図である。
【図１１】超音波エコー試験による試験結果であるエコー写真を示す図である。
【図１２】相対容積増加率（％）を示すグラフである。
【図１３】被服圧測定の結果を示すグラフである。
【図１４】圧感覚の測定結果を示すグラフである。
【図１５】相対温度増加率（％）を示すグラフである。
【発明を実施するための形態】
【００２４】
以下、図面を参照して本発明の好適な実施形態について詳細に説明する。なお、各図面において同一又は相当の部分に対しては同一の符号を付すこととする。本実施形態では、本発明のレッグウエアである着圧ソックスについて説明する。
【００２５】
図１及び図２は、本発明の実施形態に係る着圧ソックス（右足用）を示す図であり、図１（Ａ）は、外側面図、図１（Ｂ）は、正面図、図１（Ｃ）は、内側面図、図１（Ｄ）は、背面図である。また、図２（Ａ）は、正面図であり、図２（Ｂ）は、背面図である。
【００２６】
図１及び図２に示す着圧ソックス（着圧スパイラルソックス）１は、筒状の本体部２に、周辺よりも緊締力が強いサポートライン３が形成された靴下であり、このサポートライン３の緊締力によって下腿部および足部を圧迫することで、血液循環を向上させてむくみを予防するものである。また、着圧ソックス１は、着用者の脚が細く見えるように整容する効果を有する。
【００２７】
本体部２は、つま先１１０から膝蓋骨下端１１１にかかる位置まで形成され、下腿部１２３および足部１２１全体を覆う構造とされている。すなわち、本体部２は、つま先、足の甲、足裏、足首、かかと、すね、脹脛、膝蓋骨下端を覆うように形成されている。本体部２の生地は、伸縮性を有し、例えば、平編みを用いた編地によって形成されている。
【００２８】
本体部２は、通常のハイソックスよりも長めに形成され、本体部２の上端部は、着用状態において膝蓋骨の下端１１１をわずかに覆うように形成されていることが好ましい。膝部は、血液循環を活性化させるため感度が高い部位であるため、膝部を覆い保温することによって血液循環を活性化させることができる。例え膝部の下端１１１のみを覆うだけであっても、着用者の血液循環を活性化させることができる。
【００２９】
また、本体部２の上端に設けられた口ゴム２ａは、地生地のみの緩やかな圧迫を生じさせるものである。これにより、口ゴム２ａに局所的な圧が発生することが防止される。
【００３０】
次に、下腿部１２３および足部１２１の周力における圧感覚について説明する。圧感覚とは、レッグウエアを着用した際に、人が感じる圧力の感覚である。着用者が“ちょうど良い”と感じる圧感覚の法則は、周力の平均圧が次式（２）を満たす場合であり、足囲部：下腿最小囲部：下腿最大囲部：膝下囲部＝２．２：１．６：１．０：１．０…（２）、この比率で圧が発生すると、“ちょうど良い”と感じる人が多くなる。換言すれば、着圧ソックス１の本体部２は、圧バランスが次式（１）、足囲部１２６：下腿最小囲部１２７：下腿最大囲部１２８＝２．２：１．６：１．０…（１）を満たすように形成されていることが好適である。
【００３１】
着圧ソックスを着用した着用者が、快適に着用できる限界圧は、発明者らの研究によれば、下腿部で２０ｈＰａ程度である。（なお、この限界圧の測定方法は、液圧平衡方式による被服圧計測システムによるものであり、非特許文献１（三野たまき他共著、繊維製品消費科学Ｖｏｌ．３２  No.8  別刷、「衣服圧測定に関する研究（第１報）  液圧平衡方式による衣服圧測定」、社団法人日本繊維製品消費科学会、１９９１年、ｐ．３４〜ｐ．３９）、非特許文献２（三野たまき他共著、繊維製品消費科学Ｖｏｌ．３２  No.8  別刷、「衣服圧測定に関する研究（第２報）  液圧平衡方式による衣服圧測定」、社団法人日本繊維製品消費科学会、１９９１年、ｐ．４０〜ｐ．４４）に詳細に記載されている。
【００３２】
例えば、幅２．５ｃｍのゴムバンド（緊締部材）を用いて１面のみを締めた場合の圧感覚は、足部で４４ｈＰａ程度、足首で３２ｈＰａ程度、下腿部で２０ｈＰａ程度となる。しかしながら、ゴムバンド（緊締部材）で被覆される面積が増える場合には、緊締部材により圧迫される際の圧値を低くしなければ、上記の限界圧（下腿部で２０ｈＰａ）を超えることになる。なお、この時用いたゴムバンドの応力（kgf/2.5cm）ひずみ（mm）特性は、応力0（kgf/2.5cm）で、ひずみ０（mm）、応力２４０（kgf/2.5cm）で、ひずみ８．３（ｍｍ）、応力３２０（kgf/2.5cm）で、ひずみ１５．０（ｍｍ）、応力３６０（kgf/2.5cm）で、ひずみ２５．１（ｍｍ）、応力３９０（kgf/2.5cm）で、ひずみ３３．３（ｍｍ）、応力４６０（kgf/2.5cm）で、ひずみ４１．７（ｍｍ）、応力５８０（kgf/2.5cm）で、ひずみ５０．０で示されるような、典型的な伸縮素材のものであった（試験環境：20℃65%RH、引っ張り速度：50mm/min、掴み間隔：10cm、島津 AUTOGRAPH S-100使用）。
【００３３】
足首は、３２ｈＰａ程度まで締めても問題がないが、足首を締めれば締めるほど、足首全体の容積は減少するものの、足首を締めると足部の容積を有意に増やしてしまうこととなる。例えば、パンプスを着用する場合には、足首を締めすぎることは得策ではない。また、圧感覚と圧値とは有意な相関関係にあるが、緊締部材による被覆面積が増えると圧値は減少し、圧感覚は“圧値と被覆面積との積”との間のとの相関関係に移行する。足首全体（幅７．５ｃｍ程度）を締めるならば平均で１３ｈＰａ〜１５ｈＰａ程度が、着用者が“ちょうど良い”と感じる限界値であると考えられる。
【００３４】
そこで、上記の式（１）について、再検討すると、着用者が無理なく着用可能な圧バランスの比率は、次式（３）、足囲部１２６：下腿最小囲部１２７：下腿最大囲部１２８＝１８ｈＰａ：１３ｈＰａ：８ｈＰａ…（３）を満たすことが好適である。ただし、筋肉の発達の程度や嗜好などの個人差を考慮すると、式（４）、足囲部１２６：下腿最小囲部１２７：下腿最大囲部１２８＝１８ｈＰａ〜４０ｈＰａ：１３ｈＰａ〜２６ｈＰａ：８ｈＰａ〜２０ｈＰａ…（４）であれば、“ちょうど良い”と感じる圧感覚の許容範囲内であると考えられる。
【００３５】
そして、本体部２の足囲部１２６、下腿最小囲部１２７、下腿最大囲部１２８に加えられる平均圧は、上記式（４）の範囲内とされている。しかし、水平囲で足先から膝にかけて順に加圧を減少させるように一様に圧迫することは、足先への血液循環を妨げる要因となると考えられる。
【００３６】
そこで、本実施形態の着圧ソックス１では、同一周囲上において圧迫強度に差が設けられている。なお、圧迫強度とは、着圧ソックス１の本体部２が、着用者の体部位を圧迫する力の強さの程度を表している。また、圧迫して容積を減少させる効果が顕著である部位は、足首腹側１０３と土踏まず１０２である。そのため、着圧ソックス１は、足首腹側１０３と土踏まず１０２を、同一周囲上に配置された緊締部材で加圧せずに、らせん状に配置されたサポートライン（圧迫帯）３によって加圧する構成とされている。
【００３７】
次に、サポートライン３について説明する。サポートライン３は、周辺生地の緊締力と比較して強い緊締力を有する圧迫帯であり、着圧ソックス１が着用された状態において、当接する体部位を適度に圧迫するように形成されている。
【００３８】
サポートライン３は、伸縮性を抑えることにより緊締力を高めた帯状部であり、本体部２の生地に一体的に設けられている。また、帯状部の幅は、圧が発生していない状態において、例えば、３．５ｃｍ〜５．０ｃｍ程度とされていることが好ましい。
【００３９】
サポートライン３は、下記の条件を満たすように配置されることが好適である。第１の条件として、サポートライン３は、大伏在静脈１３１（図３参照）、伏在神経１３２（図４参照）、及び外側腓腹皮神経１３３（図５参照）を直接圧迫しない体部位を覆うように配置され、らせん状に形成されている。
【００４０】
第２の条件として、サポートライン３は、足首腹側１０３を面で圧迫するように配置されている。足首腹側１０３にも、大伏在静脈１３１、及び伏在神経１３２が表在しているため、足首腹側１０３にサポートライン３を配置すると、静脈１３１・神経１３２を直接圧迫することになる。そこで、足首腹側１０３において体部位への食い込みが生じないように、面で圧迫することが好適である。特に、着用者が直立して静止した状態において、足首腹側１０３に生じる余分な生地は重なり合い、体部位への食い込みを生じさせることになる。そのため、足首腹側１０３におけるシワの発生は、極力除去することが望まれる。
【００４１】
第３の条件として、サポートライン３は、脛骨１１３の内側（体中心側）に表在している大伏在静脈１３１、伏在神経１３２、腓腹筋の筋腹へ入り込む小伏在静脈１３４（図６参照）、及び外側腓腹皮神経１３３を可能な限り横切らないように配置されている。
【００４２】
第４の条件として、サポートライン３は、足先から膝へかけて一連のスパイラルを描くように配置され、脚の軸線方向に対して内巻きのスパイラル形状を成している。
【００４３】
具体的には、サポートライン３は、第３又は第４の中足骨の体１１４，１１５（図７参照）の足底に対応する位置から始まり、外側を経由して甲１０１に至り、甲１０１から内側を経由して足裏１０２にかけて配置された第１の緊締部３１と、この第１の緊締部３１に連続して形成され、足首腹側１０３において外側から内側へ斜め上方に配置された第２の緊締部３２と、この第２の緊締部３２に連続して形成され、アキレス腱１２４と下腿三頭筋１２５とを結ぶ筋腱移行部１０４（図８参照）を覆うように配置された第３の緊締部３３と、この第３の緊締部３３に連続して形成され、下腿部外側１０５から下腿部腹側１０６へ斜め上方に配置され、膝蓋骨下端腹側１１１まで至る第４の緊締部３４と、を備えている。サポートライン３は、これらの緊締部３１〜３４が連続して形成されることで、内巻きのスパイラル形状を成している。
【００４４】
より具体的には、第１の緊締部３１は、第３又は第４の中足骨の体１１４，１１５の足底に対応する位置から始まる。第１の緊締部３１は、外側方向に巻き上げられ、第５足趾の基節骨１１６、第５の中足骨の頭１１７と体１１８とを覆いながら腹側へ抜け、第１中足骨の体１１９に対応する位置を通り、足裏１０２まで延在している。第１の緊締部３１は、土踏まず１０２、第５中足骨の粗面１２０を覆いながら腹側へ抜け、第２の緊締部３２に連続している。甲１０１の部分は、神経や血液が骨によって保護されているため、第１の緊締部３１によって圧迫してもよい部位である。また、むくみ易い部位である足底静脈（足裏）は、第１の緊締部３１によって圧迫される。
【００４５】
第２の緊締部３２は、外側から内側へ斜め上方に延在し、足首腹側１０３を覆うように形成され、第３の緊締部３３に連続している。そして、他の体部位と比較して軟らかくダメージを受けやすい足首腹側１０３は、第２の緊締部３２によって面で圧迫される。また、第２の緊締部３２は、シワがよりにくい構成とされている。
【００４６】
第３の緊締部３３は、内踝上部を経て、アキレス腱１２４の上部を斜め上方に巻き上げながら延在している。第３の緊締部３３は、足首背側上部（下腿部背側下部）において内側から外側へ斜め上方に延在し、アキレス腱１２４と下腿三頭筋１２５とを結ぶ筋腱移行部１０４を覆うように形成され、第４の緊締部３４に連続している。そして、むくみ易い部位である腓腹筋１２５は、第３の緊締部によって、圧迫され、上方へ引き上げられる。なお、下腿三頭筋とは、腓腹筋１２５とヒラメ筋を合わせた体部位を示す名称である。
【００４７】
第４の緊締部３４は、下腿部外側１０５から下腿部腹側１０６へ斜め上方に配置され、膝蓋骨下端腹側１１１まで延在している。第４の緊締部３４は、下腿部外側１０５から下腿部腹側１０６、及び膝蓋骨下端腹側１１１を覆うように形成されている。換言すれば、第４の緊締部３４は、腓骨体外側の中央を（短腓骨筋の筋腹、長腓骨筋の筋腹、前脛骨筋の筋腹の順に）斜め上に向かって横断し、腹側の膝蓋骨を目指して巻き上げられている。第４の緊締部３４は、腓腹筋１２５の動きに沿って引き上げられ、下方に連続する第３の緊締部３３を上方に引張り、他の体部位を腓腹筋１２５の動きに連動させることができる。また、第４の緊締部３４は、大伏在静脈１３１及び伏在神経１３２を圧迫しないように、これらの大伏在静脈１３１および伏在神経１３２が表在している下腿部内側１０７に配置されていない。
【００４８】
サポートライン３は、着用者の骨や筋肉の位置に対応するように設けられているため、左右の脚では対称の体部位が圧迫されることになる。また、緊締部３１〜３４の幅は、同一でもよく、圧迫される体部位に応じて適宜変更してもよい。例えば、緊締部３１〜３４の幅を適宜変更することで、各部位の緊締力を調節することができる。
【００４９】
サポートライン３を構成する緊締部３１〜３４は、その周辺部と異なる組織とされて、緊締力が強められており、本体部２と一体として形成されている。図９は、タック編み組織を示す図である。サポートライン３にタック編み部を形成し、このタック編み部の割合を変化させることで、各緊締部３１〜３４における緊締力を変化させてもよい。タック編み部によって経方向（ウェール方向）の伸びを抑制することが可能であるため、単位面積におけるタック編み部の数量を増加させることで、緊締力を調整することができる。また、タック編み部の割合を変化させて、緊締部３１〜３４の領域内で緊締力を調整してもよい。また、第２の緊締部３２では、タック組織をちりばめることで、他の部位と比較してシワがよりにくい構成とされている。なお、サポートラインは、例えば別部材である当て布を用いて形成されていてもよい。
【００５０】
次に、着圧ソックス１の作用について説明する。着圧ソックス１は、着用状態において、着用者の体部位に密着し、体部位を好適に圧迫する。着圧ソックス１は、らせん状のサポートライン３による圧迫力の変化によって、足先から下腿部及び大腿部への血液及びリンパの流れを、補助することになる。一般的に、姿勢を変えずに立つ、または座り続けると脚のむくみは増大する。しかし、着圧ソックス１では、着用者が殆ど動かない状態であっても、むくみを減少させる効果を発揮する。さらに、着圧ソックス１では、着用者が動いた場合には、むくみを減少させる効果がより一層増大することとなる。
【００５１】
次に、着用者が動いた場合の着圧ソックス１の作用について、より詳しく説明する。例えば、着用者が立ち上がる動作を行う場合には、腓腹筋１２５が緊張して、第３の緊締部３３及び第４の緊締部３４が引っ張られることになる。緊締部３３，３４が引っ張られると、これにつられて、足首腹側１０３を圧迫する第２の緊締部３２が引っ張られる。続いて、第２の緊締部３２に連続する第１の緊締部３１を引っ張られて、土踏まず１０２も圧迫される。
【００５２】
また、着用者が着席動作を行う場合には、腓腹筋１２５が弛緩する。すると、足首腹側に当接する第２の緊締部３２、土踏まずに当接する第３の緊締部３３の張力が減少し、サポートライン３がゆるむことになる。
【００５３】
一方、着用者が足首を曲げたり伸ばしたりする動作を行う場合には、腓腹筋を圧迫する第３の緊締部３３及び第４の緊締部３４が、足首の動きに連動して伸び縮し、腓腹筋１２５が動くことで血流が向上する筋ポンプ効果が促進されることになる。すなわち、サポートライン３の何れかの緊締部３１〜３４と接触する体部位が動くと、この動きにつられて緊締部３１〜３４が連動し他の体部位が圧迫されて、周辺の筋肉、血管及び神経がマッサージされ、血液やリンパの流れが促進される。
【００５４】
また、本実施形態の着圧ソックス１では、本体部２の上端部が膝蓋骨の下端１１１を覆う位置まで形成されている。膝部を覆うことは、頸部背面を覆ったときの保温効果に匹敵するほどの保温効果がある。そのため、血液循環をより一層改善することができ、足先の冷えを解消することができる。
【００５５】
以上、本発明をその実施形態に基づき具体的に説明したが、本発明は、上記実施形態に限定されるものではない。上記実施形態では、本発明のレッグウエアを着圧ソックス１として説明しているが、本発明のレッグウエアは、ハイソックスのほか、ソックス、レッグサポーター、パンスト、タイツなど、その他の製品に適用することが可能である。
【００５６】
また、上記の実施形態では、サポートライン３の編み組織を変えることで、周囲よりも緊締力を強くしているが、その他の方法により、緊締部を構成してもよい。例えば、当て布を用いて、サポートラインを形成してもよい。また、本体生地に樹脂を溶着することで、サポートラインを形成してもよい。
【００５７】
また、サポートライン３の幅を変えることで、緊締力を変化させてもよい。緊締部３１〜３４内において、編み組織を適宜、変更してもよい。
【００５８】
また、上記の実施形態では、サポートライン３の始まる位置が、第３又は第４中足骨の体の足底に対応する位置からとなっているが、例えば、土踏まずからサポートライン３が形成されていてもよい。
【００５９】
また、上記の実施形態では、着圧ソックス１がつま先を覆うように形成されているが、つま先を覆わないオープントゥタイプの着圧ソックスでもよい。
【００６０】
また、上記の実施形態では、サポートライン３が膝蓋骨下端腹側まで形成されているが、サポートライン３が膝蓋骨下端腹側まで形成されていないものでもよい。例えば、アキレス腱上部まで終わるような丈の短い着圧ソックスでもよい。
【００６１】
また、上記の実施形態では、１本の連続するサポートライン３を備える着圧ソックスとしているが、複数本のサポートライン３が並設されている構成でもよい。また、サポートライン３が、連続していない着圧ソックスでもよい。
【実施例】
【００６２】
図１に示す本発明の実施形態に係る着圧ソックス１を実施例として製作し、以下の評価を行った。比較例１，２に係る着圧ソックスは、内巻きのらせん状のサポートライン３が設けられていない、足首から脹脛にかけて漸減的にフープテンションを設けたものである。実施例１の着圧ソックスの針数は１４４本であり、比較例１の着圧ソックスの針数は２４０本であり、比較例２の着圧ソックスの針数は２４０本である。着圧ソックスのサイズは、２３−２５ｃｍである。なお、評価結果を示す図１２〜図１５では、素足を“Ｂ”、比較例１を“Ｓ１”、比較例２を“Ｓ２”、実施例１を“Ｓ０”として、示している。
【００６３】
（引張試験）
実施例１及び比較例１，２に係る着圧ソックスの任意の測定部位について、引張り試験を行い、そのときの寸法（引張り寸法）を計測した。各測定部位Ｌ１１〜Ｌ１６において、チャック間距離５０ｍｍで試験を開始し、最大荷重３．５ｋｇｆが負荷された状態における距離を記録した。そして、実測値にチャック間距離５０ｍｍを加算して、引張り寸法として記録した。
試験条件
試験機    ：引張試験機（AUTOGRAFH  AGS-H 50N (SHIMADZU社製)）
試験環境  ：20℃65%RH  （恒温恒湿室）
試験速度  ：300mm/min
最大荷重  ：3.5kgf  （＝34.3Ｎ）
つかみ巾  ：10ｍｍ
つかみしろ：10ｍｍ
【００６４】
図１０は、実施例１，比較例１，２に係る着圧ソックスの各測定部位を示す図であり、表１は、実施例１，比較例１，２に係る着圧ソックスにおける引張り寸法値を示すものである。
【００６５】
口ゴム巾Ｌ１１は、着圧ソックスの上端部に形成された口ゴムの腹側の点Ｐ１と背側の点Ｐ２とを結ぶ直線上の２点間の測定部位である。足首巾Ｌ１２は、着用者の足首に対応する位置であり、かかとから５ｃｍ上の腹側の点Ｐ３と背側の点Ｐ４とを結ぶ直線上の２点間の測定部位である。
【００６６】
フート巾Ｌ１３は、着用者の甲、土踏まずに対応する位置の値であり、踵のゴアラインとつま先部との中央点の甲側の点Ｐ５と土踏まず側の点Ｐ６とを結ぶ直線上の２点間の測定部位である。フート伸びＬ１４は、つま先に対応する点Ｐ７とかかとに対応する点Ｐ８とを結ぶ直線上の２点間の測定部位である。
【００６７】
総丈伸びＬ１５は、着圧ソックス上端部の前後方向における中央の点Ｐ９とかかとに対応する点Ｐ８とを結ぶ直線上の２点間の引張り寸法である。ふくらはぎ巾Ｌ１６は、着圧ソックス上端部から１０ｃｍ下の腹側の点Ｐ１０と背側の点Ｐ１１とを結ぶ直線上の２点間の引張り寸法である。
【００６８】
【表１】
0005721972.tif 000002
【００６９】
（超音波エコー試験）
次に、実施例１、比較例１，２に係る着圧ソックスについて、超音波エコー試験を実施した。図１１は、超音波エコー試験による試験結果であるエコー写真を示すものであり、図１１（Ａ）は、比較例１着用後のエコー写真、図１１（Ｂ）は、比較例２着用後のエコー写真、図１１（Ｃ）は、実施例１着用後のエコー写真である。
【００７０】
同一の被験者に対して、足首腹側において超音波エコー試験を行い、図１１に示すエコー写真を得た。被験者は、午前８：００に着圧ソックスの着用を開始し、４時間後である午後１２：００に着圧ソックスを脱ぎ、裸足の状態で、試験結果である写真の撮影を行った。図１１に示すエコー写真によれば、比較例１，２では、ソックスを脱いだ後でも、へこみが戻らない状態である。一方、実施例１では、へこみが戻っていることが分かる。これにより、実施例１では、皮下組織へのダメージが少ないことが分かる。
【００７１】
（下腿部及び足部の容積変化確認試験）
次に、実施例１、比較例１，２に係る着圧ソックスについて、着用者の下腿部及び足部の容積変化の確認試験を実施した。図１２は、相対容積増加率（％）を示すグラフである。２０歳代前半の７名の被験者について、朝の下腿部及び足部の容積を測定し、着圧ソックスを着用し４時間後の容積を測定した。朝の容積を１００％として、図１２では、容積の増加率を示している。図１２中Ｂ，Ｓ１，Ｓ２，Ｓ０は、それぞれ、裸足，比較例１，比較例２，実施例１を示しており（以下、図１３，１４，図１５についても同じ）、実施例１，比較例１，２の何れのソックスにおいても、素足と比較して、有意に減少しており、むくみ解消効果があることが分かった。
【００７２】
（被服圧測定）
次に、実施例１、比較例１，２に係る着圧ソックスについて、着用時の被服圧測定を行った。図１３は、被服圧測定の結果を示すグラフである。被服圧測定における測定部位は、口ゴム（４カ所）、下腿最大囲（４カ所）、足首囲（４カ所）、土踏まず（３カ所）、つま先（３カ所）、かかと（１カ所）の計19カ所である。図１３に示すように、締め付けても問題がない足部において、実施例１では、２２．３ｈＰａとなっているものの、足部、足首、下腿部の平均値である総合評価では、実施例１の被服圧が最も低い。すなわち、実施例１では、比較的低い緊締力であっても、むくみを低減することができることが分かる。
【００７３】
（圧感覚測定）
次に、実施例１、比較例１，２に係る着圧ソックスについて、着用時の圧感覚を比率尺度を用いて測定した。図１４は、圧感覚の測定結果を示すグラフである。実施例１、比較例１，２に係る着圧ソックスを装着した時の、圧感覚（“きつさ”感覚）の大きさを被験者に評価させた。まず、被験者に標準強度の圧感覚として“ちょうど良い”場合と、標準強度よりも強い強度の圧感覚として“かなりきつい”場合について、バンドによる圧刺激を繰り返し与え、それぞれに対する感覚の大きさを認識させた。このとき、直線が記載された質問用紙を被験者に渡し、質問用紙に描かれた線分上の位置として、圧感覚を認識させた。例えば、線分の一方の端部を“ちょうど良い”位置として、一定距離離間した点を“かなりきつい”位置とした。
【００７４】
次に被験者に着圧ソックスを装着してもらい、そのときの圧感覚を質問用紙の線分上に矢印で記入するように指示した。そして、“ちょうど良い”を“１．０”とし、“かなりきつい”を“１０．０”として、“ちょうど良い”から、記入された矢印までの長さ計測して数値化した。このとき、被験者が“ゆるい”と感じる圧感覚の値は、“０．５”であり、“きつい”と感じる圧感覚の値は、“２．３”であった。このことから、実施例１は、比較例１，２に比べ最も圧感覚が低く、“ちょうど良い”ときの“１．０”に極めて近いものであることが分かる。なお、被験者は、２０歳代前半の７名の女性であり、図１４では平均値を記載している。
【００７５】
（皮膚温測定）
次に、実施例１、比較例１，２に係る着圧ソックスについて、着用時の皮膚温の変化について測定した。足の指１０本について、朝、皮膚温を測定し、着圧ソックスを着用して４時間後の皮膚温を測定した。図１５は、相対温度増加率を示すグラフである。図１５では、朝の測定値を基準として、１００％とし、４時間経過後の測定値を示している。なお、被験者は、２０歳代前半の７名の女性であり、図１５では平均値を記載している。この試験結果によると、実施例１を着用した後の皮膚温が、素足、比較例１，２の測定結果と比較して、最も良好であることが分かる。
【００７６】
実施例１の着圧ソックス１では、圧迫値を低下させて、効果的にむくみを解消することができた。また、足部および下腿部の容積を有意に減少させることが確認できた。
【００７７】
すなわち、実施例１の着圧ソックス１では、着用者が無理な圧迫を我慢せずに、ソックスを着用することができ、ハイソックス本来の保温効果があって血圧循環が促進されつつ、かつ、むくみが解消される着圧ハイソックスを実現することができる。また、足先の良好な血液循環を維持することが可能であるため、足先の温かさを得ることができる。さらに、脚のむくみを解消し、疲れを軽減することができる。
【符号の説明】
【００７８】
１…着圧ソックス（レッグウエア）、２…本体部、３…サポートライン、３１…第１の緊締部、３２…第２の緊締部、３３…第３の緊締部、３４…第４の緊締部、１０１…甲、１０２…足裏（土踏まず）、１０３…足首腹側、１０４…筋腱移行部、１０５…下腿部外側、１０６…下腿部腹側、１０７…下腿部内側、１１０…つま先、１１１…膝部の下端（膝蓋骨下端腹側）、１１３…脛骨、１１４…第３中足骨の体、１１５…第４中足骨の体、１１６…第５足趾の基節骨、１１７…第５の中足骨の頭、１１８…第５の中足骨の体、１１９…第１中足骨の体、１２０…第５中足骨の粗面、１２１…足部、１２２…足首、１２３…下腿部（ふくらはぎ）、１２４…アキレス腱、１２５…腓腹筋（下腿三頭筋）、１２６…足囲部、１２７…下腿最小囲部、１２８…下腿最大囲部、１３１…大伏在静脈、１３２…伏在神経、１３３…外側腓腹皮神経、１３４…小伏在静脈。
【図１】
0005721972.tif 000003
【図２】
0005721972.tif 000004
【図３】
0005721972.tif 000005
【図４】
0005721972.tif 000006
【図５】
0005721972.tif 000007
【図６】
0005721972.tif 000008
【図７】
0005721972.tif 000009
【図８】
0005721972.tif 000010
【図９】
0005721972.tif 000011
【図１０】
0005721972.tif 000012
【図１２】
0005721972.tif 000013
【図１３】
0005721972.tif 000014
【図１４】
0005721972.tif 000015
【図１５】
0005721972.tif 000016
【図１１】
0005721972.tif 000017